(57)【要約】【課題】パンチ処理により記録用紙に形成されるパンチ穴の位置、寸法、間隔等をユーザが視覚的に確認しながら調整できるようにする。【解決手段】記録用紙の一辺に沿って複数のパンチ穴をその位置を調整して形成可能なパンチ装置の動作を設定するための設定装置であって、印刷済み記録用紙の画像にパンチ穴の画像を重ね合わせたプレビュー画像を表示する（Ｓ１０５）表示部と、表示されたプレビュー画像におけるパンチ穴の位置を調整する指示をユーザから取得する（Ｓ１０９）取得部と、取得された指示に従いプレビュー画像を変更して表示する（Ｓ１０９）プレビュー変更部と、表示中のプレビュー画像におけるパンチ穴が形成されるようにパンチ装置の動作を設定する（Ｓ１１１）設定部と、を有する設定装置。【選択図】図７
2010006521.tif 000002
【特許請求の範囲】
【請求項１】
第１画像が印刷された記録用紙の一辺に沿って、複数のパンチ穴を、当該パンチ穴の位置を調整して形成可能なパンチ装置の動作を設定するための設定装置であって、
第１画像を含む前記記録用紙の画像に、前記パンチ装置により形成可能な複数のパンチ穴を表す画像であって前記記録紙用紙の画像における一辺全域を包含し得る幅に亘って配置された複数のパンチ穴を表す第２画像を重ね合わせたプレビュー画像を表示する表示部と、
表示された前記プレビュー画像における前記第２画像の位置を調整する指示をユーザから取得する取得部と、
取得された前記指示に従い前記プレビュー画像を変更し、前記表示部に変更した前記プレビュー画像を表示させるプレビュー変更部と、
表示された前記プレビュー画像において前記第２画像が表すパンチ穴が形成されるように前記パンチ装置の動作を設定する設定部と、を有することを特徴とする設定装置。
【請求項２】
表示した前記プレビュー画像において前記第２画像が前記第１画像に重なっている場合、前記表示部は、その旨をユーザに通知するメッセージをさらに表示することを特徴とする請求項１に記載の設定装置。
【請求項３】
表示した前記プレビュー画像において前記第２画像が前記記録用紙の端縁に重なっている場合、前記表示部は、その旨をユーザに通知するメッセージをさらに表示することを特徴とする請求項１または２に記載の設定装置。
【請求項４】
前記第１画像は、複数ページからなり、
前記プレビュー画像に含まれる前記第１画像は、少なくとも１つのページにおいて前記第１画像が存在する領域を表す画像であることを特徴とする請求項１〜３のいずれか１つに記載の設定装置。
【請求項５】
前記パンチ装置は、さらに、前記パンチ穴の寸法、間隔、及び形状を調整して前記パンチ穴を形成可能であり、
前記取得部は、さらに、表示された前記プレビュー画像において前記第２画像が表すパンチ穴の寸法、間隔、及び形状を調整する指示をユーザから取得可能であることを特徴とする請求項１〜４のいずれか１つに記載の設定装置。
【請求項６】
前記取得部は、前記プレビュー画像において前記第２画像が表すパンチ穴の寸法、間隔、及び形状を予め定められた組合せの範囲内で変更する指示のみを取得可能であることを特徴とする請求項５に記載の設定装置。
【請求項７】
前記取得部により、前記プレビュー画像において前記第２画像が表すパンチ穴の寸法、間隔、及び形状を前記組合せの範囲を越えて変更する指示が取得された場合、前記表示部は、その旨をユーザに通知することを特徴とする請求項５に記載の設定装置。
【請求項８】
前記取得部により、前記プレビュー画像において前記第２画像が表すパンチ穴の寸法、間隔、及び形状を前記組合せの範囲を越えて変更する指示が取得された場合、前記プレビュー変更部は、当該組合せの範囲内で前記プレビュー画像を変更することを特徴とする請求項５に記載の設定装置。
【請求項９】
前記表示部は、前記プレビュー画像を拡大または縮小して表示可能であることを特徴とする請求項１〜８のいずれか１つに記載の設定装置。
【請求項１０】
第１画像が印刷された記録用紙の一辺に沿って、複数のパンチ穴を、当該パンチ穴の位置を調整して形成可能なパンチ装置の動作を設定するためのプログラムであって、
第１画像を含む前記記録用紙の画像に、前記パンチ装置により形成可能な複数のパンチ穴を表す画像であって前記記録用紙の画像における一辺全域を包含し得る幅に亘って配置された複数のパンチ穴を表す第２画像を重ね合わせたプレビュー画像を形成する手順（Ａ）と、
形成された前記プレビュー画像を画面上に表示する手順（Ｂ）と、
表示された前記プレビュー画像において前記第２画像が表すパンチ穴の位置を調整する指示をユーザから取得する手順（Ｃ）と、
ユーザから取得された前記指示に従い前記プレビュー画像を変更し、変更後の前記プレビュー画像を前記画面上に表示する手順（Ｄ）と、
前記画面上に表示された前記プレビュー画像において前記第２画像が表すパンチ穴が形成されるように前記パンチ装置の動作を設定する手順（Ｅ）と、コンピュータに実行させるためのプログラム。
【請求項１１】
前記画面上に表示された前記プレビュー画像において前記第２画像が表すパンチ穴が前記第１画像に重なっている場合、その旨をユーザに通知するメッセージを前記画面上に表示する手順を、さらに前記コンピュータに実行させることを特徴とする請求項１０に記載のプログラム。
【請求項１２】
前記画面上に表示された前記プレビュー画像において前記第２画像が表すパンチ穴が記録用紙の端縁に重なっている場合、その旨をユーザに通知するメッセージを前記画面上に表示する手順を、さらに前記コンピュータに実行させることを特徴とする請求項１０または１１に記載のプログラム。
【請求項１３】
前記第１画像は、複数ページからなり、
前記プレビュー画像に含まれる前記第１画像は、少なくとも１つのページにおいて前記第１画像が存在する領域を表す画像であることを特徴とする請求項１０〜１２のいずれか１つに記載のプログラム。
【請求項１４】
前記パンチ装置は、さらに、前記パンチ穴の寸法、間隔、及び形状を調整して前記パンチ穴を形成可能であり、
表示された前記プレビュー画像において前記第２画像が表すパンチ穴の寸法、間隔、及び形状を調整する指示をユーザから取得する手順（ａ）をさらに前記コンピュータに実行させることを特徴とする請求項１０〜１３のいずれか１つに記載のプログラム。
【請求項１５】
前記手順（ａ）では、前記プレビュー画像において前記第２画像が表すパンチ穴の寸法、間隔、及び形状を予め定められた組合せの範囲内で変更する指示のみが取得されることを特徴とする請求項１４に記載のプログラム。
【請求項１６】
前記手順（ａ）で、前記プレビュー画像において前記第２画像が表すパンチ穴の寸法、間隔、及び形状を前記組合せの範囲を越えて変更する指示が取得された場合、その旨をユーザに通知するメッセージを前記画面上に表示する手順をさらに前記コンピュータに実行させることを特徴とする請求項１４に記載のプログラム。
【請求項１７】
前記手順（ａ）で、前記プレビュー画像において前記第２画像が表すパンチ穴の寸法、間隔、及び形状を前記組合せの範囲を越えて変更する指示が取得された場合、前記手順（Ｄ）では当該組合せの範囲内で前記プレビュー画像が変更されることを特徴とする請求項１４に記載のプログラム。
【請求項１８】
前記画面上に表示された前記プレビュー画像は、ユーザの指示により拡大または縮小可能であることを特徴とする請求項１０〜１７のいずれか１つに記載のプログラム。
【請求項１９】
請求項１０〜１８のいずれか１つに記載されたプログラムを記録するコンピュータ読み取り可能な記録媒体。
【発明の詳細な説明】
【技術分野】
【０００１】
本発明は、画像形成装置から出力された記録用紙に複数のパンチ穴を形成するためのパンチ装置の設定装置、及び当該パンチ装置の設定プログラムに関する。
【背景技術】
【０００２】
従来、複数ページからなる印刷物を製本するための方法として、印刷物の一辺に沿って、当該一辺の略全域に亘り複数のパンチ穴を形成し、そこに樹脂や金属等の材質からなるリング又はコイル状のバインダを通すことにより複数ページを綴じる方法が採用されている。
【０００３】
そのため、近年、ＭＦＰやプリンタ等の多くの画像形成装置は、印刷された記録用紙を順次引き込み、その一側に沿って多穴パンチにより複数のパンチ穴を形成するための後処理装置を備えている。
【０００４】
このような後処理装置は、ユーザの多様なニーズに対応できるように、パンチ穴の位置、寸法、間隔、形状等を複数通りに変更してパンチ穴を形成することができる。例えば、以下の特許文献１には、延伸方向に沿って径の異なる複数のパンチ刃が設けられた穿孔部材を用いることで、パンチ穴の径を複数段階に変更可能な後処理装置が提案されている。また、以下の特許文献２には、互いに切り替え可能な複数の多穴パンチを用いることで、多穴パンチの個数に応じた複数種類のパンチ穴を形成可能な後処理装置が提案されている。また、以下の特許文献３には、単一のパンチ刃からなる穿孔手段を記録用紙に平行な平面上で移動させることにより、パンチ穴の位置及び間隔等を調整可能な後処理装置が提案されている。
【０００５】
しかし、上記のような後処理装置を用いても、パンチ処理の仕上がりをユーザが事前に確認することはできず、記録用紙上の画像が印刷された領域にパンチ穴が形成されることにより画像の一部が欠けてしまう「画像欠け」や、記録用紙の端縁が当該記録用紙に完全に収まらないパンチ穴により欠損してしまう「パンチ欠損」等の問題が生じてしまう。
【特許文献１】特開平９−２９６９６号公報
【特許文献２】特開２００１−２６００８７号公報
【特許文献３】特開２００７−１１８１２１号公報
【発明の開示】
【発明が解決しようとする課題】
【０００６】
本発明は上記従来技術の有する問題点に鑑みてなされたものであり、本発明の目的は、パンチ装置により記録用紙に形成されるパンチ穴の位置、寸法、間隔等をユーザが視覚的に確認しながら調整可能なパンチ装置の設定装置、及び設定プログラムを提供することである。
【課題を解決するための手段】
【０００７】
本発明の上記目的は、下記の手段によって達成される。
【０００８】
（１）第１画像が印刷された記録用紙の一辺に沿って、複数のパンチ穴を、当該パンチ穴の位置を調整して形成可能なパンチ装置の動作を設定するための設定装置であって、第１画像を含む前記記録用紙の画像に、前記パンチ装置により形成可能な複数のパンチ穴を表す画像であって前記記録紙用紙の画像における一辺全域を包含し得る幅に亘って配置された複数のパンチ穴を表す第２画像を重ね合わせたプレビュー画像を表示する表示部と、表示された前記プレビュー画像における前記第２画像の位置を調整する指示をユーザから取得する取得部と、取得された前記指示に従い前記プレビュー画像を変更し、前記表示部に変更した前記プレビュー画像を表示させるプレビュー変更部と、表示された前記プレビュー画像において前記第２画像が表すパンチ穴が形成されるように前記パンチ装置の動作を設定する設定部と、を有することを特徴とする設定装置。
【０００９】
（２）表示した前記プレビュー画像において前記第２画像が前記第１画像に重なっている場合、前記表示部は、その旨をユーザに通知するメッセージをさらに表示することを特徴とする上記（１）に記載の設定装置。
【００１０】
（３）表示した前記プレビュー画像において前記第２画像が前記記録用紙の端縁に重なっている場合、前記表示部は、その旨をユーザに通知するメッセージをさらに表示することを特徴とする上記（１）または（２）に記載の設定装置。
【００１１】
（４）前記第１画像は、複数ページからなり、前記プレビュー画像に含まれる前記第１画像は、少なくとも１つのページにおいて前記第１画像が存在する領域を表す画像であることを特徴とする上記（１）〜（３）のいずれか１つに記載の設定装置。
【００１２】
（５）前記パンチ装置は、さらに、前記パンチ穴の寸法、間隔、及び形状を調整して前記パンチ穴を形成可能であり、前記取得部は、さらに、表示された前記プレビュー画像において前記第２画像が表すパンチ穴の寸法、間隔、及び形状を調整する指示をユーザから取得可能であることを特徴とする上記（１）〜（４）のいずれか１つに記載の設定装置。
【００１３】
（６）前記取得部は、前記プレビュー画像において前記第２画像が表すパンチ穴の寸法、間隔、及び形状を予め定められた組合せの範囲内で変更する指示のみを取得可能であることを特徴とする上記（５）に記載の設定装置。
【００１４】
（７）前記取得部により、前記プレビュー画像において前記第２画像が表すパンチ穴の寸法、間隔、及び形状を前記組合せの範囲を越えて変更する指示が取得された場合、前記表示部は、その旨をユーザに通知することを特徴とする上記（５）に記載の設定装置。
【００１５】
（８）前記取得部により、前記プレビュー画像において前記第２画像が表すパンチ穴の寸法、間隔、及び形状を前記組合せの範囲を越えて変更する指示が取得された場合、前記プレビュー変更部は、当該組合せの範囲内で前記プレビュー画像を変更することを特徴とする上記（５）に記載の設定装置。
【００１６】
（９）前記表示部は、前記プレビュー画像を拡大または縮小して表示可能であることを特徴とする上記（１）〜（８）のいずれか１つに記載の設定装置。
【００１７】
（１０）第１画像が印刷された記録用紙の一辺に沿って、複数のパンチ穴を、当該パンチ穴の位置を調整して形成可能なパンチ装置の動作を設定するためのプログラムであって、第１画像を含む前記記録用紙の画像に、前記パンチ装置により形成可能な複数のパンチ穴を表す画像であって前記記録用紙の画像における一辺全域を包含し得る幅に亘って配置された複数のパンチ穴を表す第２画像を重ね合わせたプレビュー画像を形成する手順（Ａ）と、形成された前記プレビュー画像を画面上に表示する手順（Ｂ）と、表示された前記プレビュー画像において前記第２画像が表すパンチ穴の位置を調整する指示をユーザから取得する手順（Ｃ）と、ユーザから取得された前記指示に従い前記プレビュー画像を変更し、変更後の前記プレビュー画像を前記画面上に表示する手順（Ｄ）と、前記画面上に表示された前記プレビュー画像において前記第２画像が表すパンチ穴が形成されるように前記パンチ装置の動作を設定する手順（Ｅ）と、コンピュータに実行させるためのプログラム。
【００１８】
（１１）前記画面上に表示された前記プレビュー画像において前記第２画像が表すパンチ穴が前記第１画像に重なっている場合、その旨をユーザに通知するメッセージを前記画面上に表示する手順を、さらに前記コンピュータに実行させることを特徴とする上記（１０）に記載のプログラム。
【００１９】
（１２）前記画面上に表示された前記プレビュー画像において前記第２画像が表すパンチ穴が記録用紙の端縁に重なっている場合、その旨をユーザに通知するメッセージを前記画面上に表示する手順を、さらに前記コンピュータに実行させることを特徴とする上記（１０）または（１１）に記載のプログラム。
【００２０】
（１３）前記第１画像は、複数ページからなり、前記プレビュー画像に含まれる前記第１画像は、少なくとも１つのページにおいて前記第１画像が存在する領域を表す画像であることを特徴とする上記（１０）〜（１２）のいずれか１つに記載のプログラム。
【００２１】
（１４）前記パンチ装置は、さらに、前記パンチ穴の寸法、間隔、及び形状を調整して前記パンチ穴を形成可能であり、表示された前記プレビュー画像において前記第２画像が表すパンチ穴の寸法、間隔、及び形状を調整する指示をユーザから取得する手順（ａ）をさらに前記コンピュータに実行させることを特徴とする上記（１０）〜（１３）のいずれか１つに記載のプログラム。
【００２２】
（１５）前記手順（ａ）では、前記プレビュー画像において前記第２画像が表すパンチ穴の寸法、間隔、及び形状を予め定められた組合せの範囲内で変更する指示のみが取得されることを特徴とする上記（１４）に記載のプログラム。
【００２３】
（１６）前記手順（ａ）で、前記プレビュー画像において前記第２画像が表すパンチ穴の寸法、間隔、及び形状を前記組合せの範囲を越えて変更する指示が取得された場合、その旨をユーザに通知するメッセージを前記画面上に表示する手順をさらに前記コンピュータに実行させることを特徴とする上記（１４）に記載のプログラム。
【００２４】
（１７）前記手順（ａ）で、前記プレビュー画像において前記第２画像が表すパンチ穴の寸法、間隔、及び形状を前記組合せの範囲を越えて変更する指示が取得された場合、前記手順（Ｄ）では当該組合せの範囲内で前記プレビュー画像が変更されることを特徴とする上記（１４）に記載のプログラム。
【００２５】
（１８）前記画面上に表示された前記プレビュー画像は、ユーザの指示により拡大または縮小可能であることを特徴とする上記（１０）〜（１７）のいずれか１つに記載のプログラム。
【００２６】
（１９）上記（１０）〜（１８）のいずれか１つに記載されたプログラムを記録するコンピュータ読み取り可能な記録媒体。
【発明の効果】
【００２７】
本発明によれば、ユーザはパンチ処理の仕上がり状態を示すプレビュー画像を確認しながら実際に形成されるパンチ穴の位置、寸法、間隔等を調整することができる。その結果、パンチ処理により「画像欠け」や「パンチ欠損」等の不具合が生じることを効果的に防止することができる。
【発明を実施するための最良の形態】
【００２８】
−システム全体の構成（図１）
以下、本発明の実施の形態を、図面を参照して詳細に説明する。図１は、本発明の一実施形態に係る画像形成装置が適用された画像形成システムＡの全体構成を示すブロック図である。図１に示すように、本実施形態に係る画像形成システムＡは、ホスト装置としてのＰＣ１と、画像形成装置としてのＭＦＰ２とを備え、これらは通信ネットワーク３を介して相互に通信可能に接続されている。なお、通信ネットワーク３に接続される機器の種類および台数は、図１に示す例に限定されない。また、ＰＣ１は、ネットワーク３を介することなく、ＭＦＰ２と直接機器間で接続（ローカル接続）されていてもよい。
【００２９】
続いて、上記各機器の構成について説明するが、上記各機器は後述する構成要素以外の構成要素を含んでいてもよく、あるいは、後述する構成要素のうちの一部が含まれていなくてもよい。また、各機器で同様の機能を有する部分については、説明の重複を避けるため初回のみその説明を行い、２回目以降はその説明を省略する。
【００３０】
−ＰＣの構成（図２）
図２は、本実施形態に係るＰＣ１の構成の一例を示すブロック図である。図２に示すように、ＰＣ１は、制御部１１、記憶部１２、表示部１３、操作部１４、通信インタフェース１５を備えており、これらは信号をやり取りするためのバス１６を介して相互に接続されている。
【００３１】
制御部１１は、ＣＰＵであり、プログラムに従って上記各部の制御や各種の演算等を行う。記憶部１２は、ＰＣ１の基本動作を制御する各種プログラムやパラメータを格納するＲＯＭ、作業領域として一時的にプログラムやデータ等を記憶するＲＡＭ、及びＯＳ（オペレーティングシステム、基本ソフトウェア）や後述するＰＣ１の所定の動作を制御するためのプログラムやパラメータ等を格納するハードディスクを備えている。
【００３２】
表示部１３は、液晶ディスプレイ等からなり、ユーザに各種情報を表示する。操作部１４は、キーボードやマウス等であり、ユーザから各種指示を取得する。通信インタフェース１５は、ＰＣ１をネットワーク３に接続しネットワーク３上の他の機器と通信するためのインタフェースである。特に、本実施形態のＰＣ１は、表示部１３によりパンチ処理の設定のためのパンチ設定用ＵＩ画面を表示し、操作部１４によりパンチ設定用ＵＩ画面を操作するユーザの指示を取得する。この点についてはさらに後述する。
【００３３】
−ＭＦＰの構成（図３、図４）
図３は、本実施形態に係る画像形成装置としてのＭＦＰ２の全体構成を示す概略図であり、図４は、ＭＦＰ２の構成を示すブロック図である。図３及び図４に示すように、ＭＦＰ２は、制御部２１、記憶部２２、操作部２３、画像読取部２４、印刷部２５、後処理部２６、給紙部２７、及び通信インタフェース２８を備えており、これらは信号をやり取りするためのバス２９を介して相互に接続されている。以下、これらの構成要素について順に説明する。
【００３４】
制御部２１は、ＣＰＵであり、プログラムに従って上記各部の制御や各種の演算処理等を行う。記憶部２２は、予め各種プログラムやパラメータを格納しておくＲＯＭ、作業領域として一時的にプログラムやデータを記憶するＲＡＭ、各種プログラムやパラメータを格納し、または画像処理により得られた画像データ等を一時的に保存するために使用されるハードディスク等からなる。
【００３５】
操作部２３は、各種情報を表示し、または各種設定入力を行うタッチパネル、コピー枚数等を設定するテンキー、動作の開始を指示するスタートキー、動作の停止を指示するストップキー、各種設定条件を初期化するリセットキー等の各種固定キー、表示ランプ等からなる。
【００３６】
画像読取部２４は、原稿台の所定の読取位置にセットされた原稿、又はＡＤＦ（Ａｕｔｏ  Ｄｏｃｕｍｅｎｔ  Ｆｅｅｄｅｒ；自動原稿搬送装置）により所定の読取位置に搬送された原稿に蛍光ランプ等の光源から光を当て、その反射光をＣＣＤイメージセンサやＣＭＯＳイメージセンサ等の受光素子で光電変換することで得られる電気信号から画像データ（ビットマップデータ）を生成するスキャン動作を実行する。
【００３７】
印刷部２５は、画像データを電子写真方式により帯電、露光、現像、転写、及び定着の各工程を経て、給紙部１６から供給された用紙に画像データを印刷して排出する。ただし、本発明における印刷部１５が採用する印刷方法はこれに限定されるものではなく、インパクト方式、熱転写方式、及びインクジェット方式等の公知の印刷方法であればいかなるものであってもよい。
【００３８】
後処理部２６は、印刷部１５により印刷が実行された記録用紙に対して、紙折り、ステープル綴じ、パンチ、トリム等の各種の後処理を実行する。特に、本実施形態の後処理部２６は、印刷部１５から搬送された記録用紙に対してパンチ処理を実行する２つのパンチユニット２６１，２６２を備えている。ここでパンチ処理とは、先端部にパンチ刃等により記録用紙の一側に沿って２６穴や３０穴等の複数のパンチ穴を形成する処理である。パンチユニット２６１，２６２の具体的な構成についてはさらに後述する。
【００３９】
給紙部２７は、複数種類の記録用紙（Ａ４、Ｂ５、Ａ３、Ｌｅｔｔｅｒ等）をサイズごとに格納する給紙トレイ、及び制御部１１からの指令に応じて各給紙トレイ内の記録用紙を印刷部２５に搬送する搬送機構等を備えている。
【００４０】
通信インタフェース２８は、ＭＦＰ１と外部機器との間で通信を行うためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２．１１、ＨｏｍｅＲＦ、ＩｒＤＡ等の無線通信インタフェース等の各種ローカル接続インタフェース、電話回線に接続するための電話回線インタフェース等が用いられる。
【００４１】
上記構成により、ＭＦＰ２は、通信インタフェースにより外部機器から受信した印刷ジョブ、又は画像読取部２４により読み取った原稿画像に基づき記録用紙に印刷を実行し、さらに、印刷が実行された記録用紙に対してパンチ処理等の後処理を施してから排出することが可能である。
【００４２】
−パンチユニットの構成（図５、図６）
次に、上記の後処理部１６に設けられたパンチユニット２６１，２６２のうちパンチユニット２６１の構成について説明する。図５はパンチユニット２６１の主要部を示す側面図である。
【００４３】
図５のように、パンチユニット２６１は、モータ等の不図示の駆動手段により軸回転可能なカムシャフト２６１ａ、カムシャフト２６１ａ上に配置された偏心カム２６１ｂ、及び先端部にパンチ刃を有し、後端部に偏心カム２６１ｂとの滑り接触面を有するパンチ棒２６１ｃを備えている。図中の矢印で示されるように、カムシャフト２６１ａが回転することで、偏心カム２６１ｂと滑り接触するパンチ棒２６１ｃは上下方向に摺動する。
【００４４】
さらに、パンチユニット２６１は、パンチ棒２６１ｃの下方に配置される記録用紙Ｓの表面を押さえると同時に摺動するパンチ棒２６１ｃを横方向からガイドするパンチガイド２６１ｄ、及び摺動するパンチ棒２６１ｃを挟み込むようにパンチ棒１６１ｃの先端部に当接することでパンチ棒２６１ｃを停止させる一対のストッパ２６１ｅを備えている。
【００４５】
図６は、パンチ棒２６１ｃの先端部を拡大して示す側面図である。図６のように、パンチ棒２６１ｃは、その先端部に向かって段階的に径が小さくなる複数の円形パンチ刃を備えている。そして、図５のように、一対のストッパ２６１ｅは、摺動するパンチ棒２６１ｃを所定の位置で停止させることができるように互いに接近／離反する方向に移動させられる。そのため、本実施形態のパンチユニット２６１によれば、カムシャフト２６１ａの回転角、すなわち、摺動するパンチ棒２６１ｃのストロークを制御することで、記録用紙Ｓに形成される円形のパンチ穴の直径を複数通りに変更することができる。なお、図６の例においては、パンチ棒２６１ｃに１０個のパンチ刃が設けられているので、円形のパンチ穴の直径を１０通りに変更可能である。
【００４６】
また、本実施形態のパンチユニット２６１は、不図示のモータ等により記録用紙Ｓに平行な平面上を自由に運動可能である。これにより、パンチユニット２６１は、記録用紙Ｓに形成されるパンチ穴の位置、及び隣接するパンチ穴どうしの間隔を複数通りに変更可能である。
【００４７】
なお、もう一方のパンチユニット２６２の構成は、パンチ棒２６２ｃに設けられた各々のパンチ刃の横断面が四角形であることを除いて上記のパンチユニット２６１と同様である。そのため、パンチユニット２６２についての詳細な説明を省略する。また、本実施形態の後処理部２６は、２つのパンチユニット２６１，２６２を切り替えて作動させることにより、記録用紙Ｓに円形と四角形の２通りの形状のパンチ穴を形成することができる。後処理部２６は、より多種類の形状のパンチ穴を形成可能となるように、より多くのパンチユニットを備えていてもよい。
【００４８】
以上のような構成により、本実施形態の後処理部２６は、パンチ穴の位置、寸法、間隔、及び形状を複数通りに変更してパンチ処理を実行可能である。ただし、後処理部２６の構成は上記のみに限定されるものではなく、例えば、後処理部２６は、複数種類の多穴パンチを切り替えて作動させることによりパンチ穴の位置、寸法、間隔、及び形状を変更する構成を有していてもよい。なお、本実施形態の後処理部２６により実行可能なパンチ処理に関する情報は、パンチユニット情報Ｉ１として記録部２２等に格納されている（図９参照）。このようなパンチユニット情報Ｉ１は、後述するＰＣ１のパンチ設定処理において利用される。
【００４９】
−ＰＣの処理（図７、図８）
次に、本実施形態に係るＰＣ１の動作の概要について説明する。図７は、本実施形態に係るＰＣ１によるパンチ設定処理の手順を示すフローチャートの一例である。図７のフローチャートにより示されるアルゴリズムは、記憶部１２に制御プログラムとして記憶されており、動作開始の際に制御部１１により読み出されて実行される。
【００５０】
先ず、ＰＣ１は、ユーザから印刷指示を受け付けるまで待機する（Ｓ１０１のＮＯ）。この印刷指示は、ユーザがＰＣ１に実装されたアプリケーション上で所定の印刷指示を実行したときに受け付けられる。
【００５１】
ＰＣ１は、印刷指示を受け付けたら（Ｓ１０１のＹＥＳ）、通信インタフェース１６により、ＭＦＰ２の後処理部２６により実行可能なパンチ処理に関する情報としてパンチユニット情報Ｉ１をＭＦＰ２から取得する（Ｓ１０２）。このときＰＣ１がパンチユニット情報Ｉ１を取得する方法は特に限定されないが、例えば、ＰＣ１とＭＦＰ２が通信プロトコルとしてＳＮＭＰ（Ｓｉｍｐｌｅ  Ｎｅｔｗｏｒｋ  Ｍａｎａｇｅｍｅｎｔ  Ｐｒｏｔｏｃｏｌ）を用いて通信を行う場合、ＰＣ１はＭＦＰ２側に設けられたＭＩＢ（Ｍａｎａｇｅｍｅｎｔ  Ｉｎｆｏｒｍａｔｉｏｎ  Ｂａｓｅ）テーブルからパンチユニット情報を取得する。Ｓ１０２において取得されたパンチユニット情報Ｉ１は、記録部１２のＲＡＭ等に一時的に保持される。
【００５２】
図９は、本実施形態のパンチユニット情報Ｉ１の内容を示す図である。図９のように、パンチユニット情報Ｉ１は、後処理部２６により形成可能なパンチ穴の寸法、間隔、個数、形状等に関する情報を含むテーブルである。図９の例において、後処理部２６は、パンチ穴の直径を、２．５ｍｍ、５．０ｍｍ、７．５ｍｍ、１０．０ｍｍ、１２．５ｍｍ、１５．０ｍｍ、１７．５ｍｍ、２０．０ｍｍ、２２．５ｍｍ、２５．０ｍｍの１０通りに変更可能であり、パンチ穴の間隔を、１０ｍｍ、２０ｍｍ、３０ｍｍ、４０ｍｍ、５０ｍｍ、６０ｍｍ、７０ｍｍ、８０ｍｍ、９０ｍｍ、１００ｍｍの１０通りに変更可能であり、パンチ穴の個数を、２個、３個、４個、２０個の４通りに変更可能であり、パンチ穴の形状を円形、四角形の２通りに変更可能である。
【００５３】
続いて、ＰＣ１は、表示部１３にパンチ設定用ＵＩ画面ｕ１を表示するとともに、ユーザにより指定された記録用紙を表すプレビュー画像（以下、「用紙画像」ともいう）を生成し、これをパンチ設定用ＵＩ画面ｕ１内のプレビュー表示エリアＡ１に表示する（Ｓ１０３）。なお、記録用紙のサイズは全ページ共通であるものとする。続いて、ＰＣ１は、Ｓ１０１の印刷指示に基づき印刷される原稿画像のプレビュー画像（以下、「印刷画像」ともいう）を生成し、これをＳ１０３で表示した用紙画像に重ね合わせてプレビュー表示エリアＡ１に表示する（Ｓ１０４）。
【００５４】
図１０は、Ｓ１０４において形成・表示される印刷画像Ｇｉについて説明するための図である。図１０のように、印刷画像Ｇｉは、少なくとも１つのページにおいて原稿画像が存在する領域を表す画像である。即ち、各ページの原稿画像を重畳して得られた画像の領域を表す画像である。このような印刷画像Ｇｉを表示することで、ユーザは全ページ分の「画像欠け」の確認を一目で行うことができる。
【００５５】
続いて、ＰＣ１は、Ｓ１０２で取得したパンチユニット情報Ｉ１に基づき、後処理部２６により形成可能なパンチ穴の個数に対応するアイコンｉを、パンチ設定用ＵＩ画面ｕ１内のプレビュー表示エリアＡ１と重ならないアイコン表示エリアＡ２に表示する（Ｓ１０５）。図９の例において、後処理部２６はパンチ穴の個数を２、３、４、２０の４通りに変更可能であるので、アイコン表示エリアＡ２にはこれらに対応する４つのアイコンｉが表示される。
【００５６】
図１１は、Ｓ１０５を終了した時点で表示部１３に表示されているパンチ設定用ＵＩ画面ｕ１の一例を示す図である。本実施形態のＰＣ１は、図１１のようなＵＩ画面ｕ１を表示することで、パンチ処理により形成されるパンチ穴の個数に関する指示をユーザから取得することができる。より具体的に、ＰＣ１は、ユーザがアイコン表示エリアＡ２内のいずれかのアイコンを選択したときに、当該アイコンｉに対応する個数のパンチ穴を形成すべきとの指示を取得する。ここで、「アイコンｉを選択する」とは、ユーザがマウスの操作によりカーソルをいずれかのアイコンｉに合わせた状態でマウスのボタンを押下することを意味する。なお、どのアイコンｉも選択されない場合、パンチ処理の設定は行われないことになる。
【００５７】
再び図７を参照して、ＰＣ１は、ＵＩ画面ｕ１内のいずれかのアイコンｉが選択されたか否かに応じて処理を分岐する（Ｓ１０６）。すなわち、ＰＣ１は、いずれかのアイコンｉが選択されたら（Ｓ１０６のＹＥＳ）、選択されたアイコンｉに対応するパンチ穴の個数を特定し（Ｓ１０７）、その個数のパンチ穴に対応するプレビュー画像（以下、「パンチ画像」ともいう）を生成し、プレビュー表示エリアＡ１に表示されている用紙画像Ｇｓと印刷画像Ｇｉにさらに重ね合わせて表示する（Ｓ１０８）。このとき、既にプレビュー表示エリアＡ１内に何らかのパンチ画像が表示されている場合には、既存のパンチ画像を消去して、新たにＳ１０７で特定したパンチ穴を表すパンチ画像を生成・表示する。尚、パンチ画像Ｇｈは、少なくともそのデフォルト設定において、パンチ穴を示す複数の黒丸画像が用紙画像Ｇｓの高さ方向の長さよりも広い長さをカバーするだけの数が並んで表示され得るサイズを有する。即ち、パンチ画像Ｇｈは、少なくともデフォルト設定において、その高さ方向のサイズが用紙画像Ｇｓの高さ方向のサイズより大きく、用紙画像Ｇｓの全域をその高さ方向において包含し得る。
【００５８】
その後、ＰＣ１は、表示中のプレビュー画像におけるパンチ画像の位置をカーソルの位置に合わせて変更する（Ｓ１０９）。つまり、ユーザはマウスのボタンを押下したままマウスを移動させることにより、プレビュー画像におけるパンチ画像の位置を調整することができる。そして、ＰＣ１は、マウスのボタンが放されるまで（Ｓ１１０のＮＯ）Ｓ１０９の処理を繰り返し、マウスのボタンが放されたら（Ｓ１１０のＹＥＳ）、その時点で表示されているプレビュー画像に基づき、当該プレビュー画像においてパンチ画像が表すパンチ穴を形成するための設定情報であるパンチ設定情報Ｉ２を生成してから（Ｓ１１１）、図８の「１」に進む。
【００５９】
図１２は、Ｓ１１１において生成されるパンチ設定情報Ｉ２の一例を示す図である。図１２のように、本実施形態のパンチ設定情報Ｉ２は、パンチ開始位置の座標、個々のパンチ穴の直径、隣接するパンチ穴の間隔、及びパンチ穴の合計個数を示すテーブルからなる。なお、パンチ設定情報Ｉ２において用いられる座標は、記録用紙の左下の隅を原点（０，０）とし、さらに、記録用紙の横方向と平行をなす方向をＸ方向、記録用紙の縦方向と平行をなす方向をＹ方向としたときの（Ｘ，Ｙ）座標である。
【００６０】
図１３は、図１１のパンチ設定情報Ｉ２に基づき形成されるパンチ穴を示す図である。図１３のように、パンチ設定情報Ｉ２におけるパンチ開始位置は、一番下に位置するパンチ穴に外接する四角形の左下の頂点の（Ｘ，Ｙ）座標で表される。図１３のように、図１２のパンチ設定情報Ｉ２は、記録用紙の左下の隅から右に１９８ｍｍ、下に５ｍｍの位置をパンチ開始位置として、直径１０ｍｍのパンチ穴を１０ｍｍ間隔で２０個形成するための設定情報である。
【００６１】
続いて、図１４〜図１６に、Ｓ１１１を終了した時点で表示部１３に表示されているパンチ設定用ＵＩ画面ｕ１の一例を示す。各図の左側部分が示すように、ＵＩ画面ｕ１は、カーソルがパンチ画像Ｇｈに合わせられると、そのときのカーソルの具体的な位置に応じて、以下（ａ）〜（ｃ）に示すように「パンチ穴全体の位置」、「隣接するパンチ穴の間隔」、「各パンチ穴の寸法」を調整するための指示をユーザから取得可能な状態になる。
【００６２】
（ａ）カーソルがパンチ画像における隣接するパンチ穴の間の部分に合わせられると、カーソルの先に全てのパンチ穴を囲む長方形の枠が表示される。ＵＩ画面ｕ１は、この枠がプレビュー画像中のいずれかの位置までドラッグされるとき、パンチ穴全体の位置をドラッグ後の枠の位置へと変更するための指示を取得する。
【００６３】
（ｂ）カーソルがパンチ画像における一番上又は一番下のパンチ穴の部分に合わせられると、カーソルの先に記録用紙の横方向と平行をなす線分が表示される。ＵＩ画面ｕ１は、この線分が記録用紙の縦方向にドラッグされるとき、隣接するパンチ穴の間隔を広く／狭く変更するための指示を取得する。
【００６４】
（ｃ）カーソルがパンチ画像におけるパンチ穴のうち一番上と一番下のパンチ穴を除くいずれかのパンチ穴の部分に合わせられると、カーソルの先にそのパンチ穴を囲む正方形の枠が表示される。ＵＩ画面ｕ１は、この枠が拡大／縮小される方向にドラッグされるとき、個々のパンチ穴の寸法を大きく／小さく変更するための指示を取得する。
【００６５】
図８を参照して、同図中「１」に進んだＰＣ１は、カーソルがパンチ画像Ｇｈに合わせられているか否かに応じて処理を分岐する（Ｓ１１２）。すなわち、カーソルがパンチ画像Ｇｈに合わせられている場合は（Ｓ１１２のＹＥＳ）、ＵＩ画面ｕ１を上記（ａ）〜（ｃ）のいずれかの指示を取得可能な状態に切り替えてから（Ｓ１１３）、Ｓ１１４に進む。他方、カーソルがパンチ画像Ｇｈに合わせられていない場合は（Ｓ１１２のＮＯ）、図７のＳ１０６に戻り、再度ユーザからの指示を取得する。
【００６６】
Ｓ１１４に進んだＰＣ１は、さらに、カーソルがパンチ画像Ｇｈに合わせられた状態でマウスのボタンが押下されるか否かに応じて処理を分岐する（Ｓ１１４）。すなわち、カーソルがパンチ画像Ｇｈに合わせられた状態でマウスのボタンが押下された場合（Ｓ１１４のＹＥＳ）、そのときのカーソルの位置情報に基づき、ユーザから取得すべき指示の対象を特定する（Ｓ１１５）。つまり、上記（ａ）のようにパンチ穴全体の位置を調整する指示を取得するのか、上記（ｂ）のように隣接するパンチ穴の間隔を調整する指示を取得するのか、又は上記（ｃ）のように各パンチ穴の寸法を調整する指示を取得するのかを特定する。他方、カーソルがパンチ画像Ｇｈに合わせられた状態でマウスのボタンが押下されない場合（Ｓ１１４のＮＯ）、図７のＳ１０６に戻り、再度ユーザから指示を取得する。
【００６７】
続いて、Ｓ１１５においてユーザから取得すべき指示の対象を特定したＰＣ１は、その特定した内容に応じて処理を分岐する（Ｓ１１６、Ｓ１２０）。すなわち、ユーザの指示により調整すべき対象が上記（ａ）の「パンチ穴全体の位置」である場合（Ｓ１１６のＹＥＳ）、ＰＣ１は、カーソルに移動に合わせてパンチ画像Ｇｈを移動することによりプレビュー画像を変更し（Ｓ１１７）、マウスのボタンが放されるまで（Ｓ１１８のＮＯ）それを繰り返す。そして、マウスのボタンが放されたら（Ｓ１１８のＹＥＳ）、その時点でのプレビュー画像に基づきパンチ情報Ｉ２を生成してから（Ｓ１１９）、前述の「１」に戻る。なお、この時点で既にパンチ設定情報Ｉ２が生成されている場合、既存のパンチ設定情報Ｉ２を消去して新たにパンチ設定情報を生成する。
【００６８】
また、調整すべき対象が上記（ｂ）の「隣接するパンチ穴の間隔」である場合（Ｓ１１６のＮＯ、Ｓ１２０のＹＥＳ）、ＰＣ１は、カーソルの移動に合わせてパンチ画像Ｇｈが表すパンチ穴の間隔が広く／狭くなるようにプレビュー画像を変更し（Ｓ１２１）、マウスのボタンが放されるまで（Ｓ１２２のＮＯ）それを繰り返す。そして、マウスのボタンが放されたら（Ｓ１２３のＹＥＳ）、その時点でのプレビュー画像に基づきパンチ情報Ｉ２を生成してから（Ｓ１１９）、前述の「１」に戻る。
【００６９】
また、ユーザによる変更指示の対象が上記（ｃ）の「パンチ穴の寸法」である場合（Ｓ１１６のＮＯ、Ｓ１２０のＮＯ）、ＰＣ１は、カーソルの移動に合わせてパンチ画像Ｇｈが表す各パンチ穴の直径が大きく／小さくなるようにプレビュー画像を変更し（Ｓ１２３）、マウスのボタンが放されるまで（Ｓ１２４のＮＯ）それを繰り返す。そして、マウスのボタンが放されたら（Ｓ１２４のＹＥＳ）、その時点でのプレビュー画像に基づきパンチ情報Ｉ２を生成／更新してから（Ｓ１１９）、前述の「１」に戻る。
【００７０】
なお、Ｓ１１７、Ｓ１２１、Ｓ１２３においてプレビュー画像を変更した結果、変更後のプレビュー画像においてパンチ画像Ｇｈが印刷画像Ｇｉに重なったり、パンチ画像Ｇｈが用紙画像Ｇｓの端縁と重なったりした場合、ＰＣ１は、ＵＩ画面ｕ１内のプレビュー表示エリアＡ１ともアイコン表示エリアＡ２とも重ならないメッセージ表示エリアＡ３にその旨をユーザに通知するための警告メッセージを表示する。図１７（Ａ）〜図１７（Ｃ）は、メッセージ表示エリアＡ３に表示される警告メッセージの一例である。このような警告メッセージを見たユーザは、警告メッセージが消えるようにカーソルを移動させることで、実際に「画像欠け」や「パンチ欠損」が生じることを防止することができる。
【００７１】
また、Ｓ１２１又はＳ１２３においてプレビュー画像を変更した結果、変更後のプレビュー画像におけるパンチ画像Ｇｈが表すパンチ穴の間隔又は寸法が、パンチユニット情報Ｉ１に規定された範囲を超えて変更された場合、すなわち、ＭＦＰ２が実行不可能なパンチ処理の設定がなされた場合、ユーザにその旨を通知する警告メッセージを表示したり、当該プレビュー画像におけるパンチ画像Ｇｈが表すパンチ穴の間隔又は寸法をパンチユニット情報Ｉ１の範囲内の近似値に強制的に変更したりする制御を行うことが好ましい。
【００７２】
再び図７を参照して、Ｓ１０６に進んだＰＣ１は、どのアイコンｉもクリックされなかった場合（Ｓ１０６のＮＯ）、ＵＩ画面ｕ１内の「印刷」ボタン、「クリア」ボタン、又は「キャンセル」ボタンのどれが押下されたかに応じて処理を分岐する（Ｓ１２５、Ｓ１２７、Ｓ１２９）。すなわち、ＰＣ１は、「印刷」ボタンが押下された場合（Ｓ１２５のＹＥＳ）、印刷ジョブとともにパンチ設定情報Ｉ２をＭＦＰ２に送信してから（Ｓ１２６）処理を終了する。
【００７３】
また、「クリア」ボタンが押下された場合は（Ｓ１２７のＹＥＳ）、その時点でプレビュー表示エリアＡ１に表示されているプレビュー画像を消去してから（Ｓ１２８）Ｓ１０６に戻る。また、「キャンセル」ボタンが押下された場合は（Ｓ１２９のＹＥＳ）、そのまま処理を終了する。また、どのボタンも押下されない場合は（Ｓ１２９のＮＯ）、そのままＳ１０６に戻る。
【００７４】
以上のように、本実施形態のＰＣ１は、ユーザから印刷指示を受け付けたら（Ｓ１０１のＹＥＳ）、パンチ設定用ＵＩ画面ｕ１によりパンチ穴の個数及び位置に関する指示を取得し（Ｓ１０６，Ｓ１０９）、さらに、パンチ穴の位置、間隔、及び寸法をＵＩ画面ｕ１におけるプレビュー表示エリアＡ１で調整する指示を取得してから（Ｓ１１７，Ｓ１２１，Ｓ１２３）、調整後のパンチ穴を形成するための設定情報を生成し（Ｓ１１１，Ｓ１１９）ＭＦＰ２に送信する（Ｓ１２６）。
【００７５】
−ＭＦＰの処理（図１８）
次に、本実施形態に係るＭＦＰ２の動作の概要について説明する。図１８は、本実施形態に係るＭＦＰ２による印刷処理の手順を示すフローチャートの一例である。図１８のフローチャートにより示されるアルゴリズムは、記憶部２２に制御プログラムとして記憶されており、動作開始の際に制御部２２により読み出されて実行される。
【００７６】
先ず、ＭＦＰ２は、ＰＣ１から印刷ジョブを受信するまで待機する（Ｓ２０１のＮＯ）。
【００７７】
ここで、本実施形態における印刷ジョブについて説明する。本実施形態に係る印刷ジョブは、印刷設定等に関する各種情報を格納する印刷ジョブ情報、及びＣＹＭＫの４色からなる画像データを含んでなる。ＭＦＰ２により受信された印刷ジョブは、記憶部２２に一時的に保存され、印刷部２５により処理可能な印刷画像データへと変換される。印刷ジョブを印字可能な印刷画像データへ変換するためのプログラムは記録部２２のハードディスク等に保存されている。
【００７８】
図１９は、本実施形態に係る印刷ジョブに含まれる印刷ジョブ情報Ｊの構成を概略的に示す図である。図１９のように、印刷ジョブ情報Ｊは、ページ数や印刷部数等の当該印刷ジョブ全体に関する情報を格納するジョブ情報Ｊ１、及び用紙サイズやカラーモード等の当該印刷ジョブを構成するページ毎の設定情報を格納するページ情報Ｊ２を含む。特に、本実施形態において、ページ情報Ｊ２は、パンチ処理の指定の有無に関する情報を含む（図１９の「パンチ種類」のカラム参照）。
【００７９】
続いて、ＭＦＰ２は、印刷ジョブを受信したら（Ｓ２０１のＹＥＳ）、その印刷ジョブに含まれる印刷ジョブ情報Ｊの内容を解析してパンチ処理の指定の有無を判別する（Ｓ２０２）。より具体的に、ＭＦＰ２は、ページ情報Ｊ２に含まれる「パンチ種類」のカラムの参照することによりパンチ処理の指定の有無を判別する。なお、一般にパンチ処理は１つの印刷ジョブに含まれる全てのページに対して実行されるため、「パンチ種類」のカラムは、ページごとに存在するページ情報Ｊ２ではなく、ジョブごとに存在するジョブ情報Ｊ１側に設けられてもよい。また、ＭＦＰ２には、印刷ジョブと同時にパンチ設定情報Ｉ２が送信されるものとする（図７のＳ１２６参照。）
続いて、ＭＦＰ２は、パンチ指定がなされている場合は（Ｓ２０３のＹＥＳ）、印刷ジョブとともに送信されたパンチ設定情報Ｉ２からパンチ処理に関する設定情報を取得する（Ｓ２０４）。そして、印刷部２５により記録用紙への原稿画像の印刷処理を実行してから（Ｓ２０５）、後処理部２６により印刷済みの記録用紙に対するパンチ処理を実行する（Ｓ２０６）。なお、Ｓ２０４において、後処理部２６は、パンチ設定情報Ｉ２に含まれる設定値を参照してパンチ処理を実行する。
【００８０】
そして、ＭＦＰ２は、パンチ処理が施された記録用紙を排紙トレイ等に排出してから（Ｓ２０７）処理を終了する。他方、パンチ指定がなされていない場合は（Ｓ２０３のＮＯ）、印刷部２５により記録用紙への原稿画像の印刷処理を実行し（Ｓ２０５ａ）、印刷処理が施された記録用紙を排紙トレイ等に排出してから（Ｓ２０７）処理を終了する。
【００８１】
以上のように、本実施形態によれば、ユーザはパンチ処理の仕上がり状態を示すプレビュー画像を確認しながら実際に形成されるパンチ穴の位置、寸法、間隔等を調整することができる。その結果、パンチ処理により「画像欠け」や「パンチ欠損」等の不具合が生じることを効果的に防止することができる。
【００８２】
本発明は、上記実施形態のみに限定されるものではなく、特許請求の範囲内において、種々改変することができる。例えば、上記実施形態においては、ＭＦＰ２がＰＣ１から受信した印刷ジョブに基づき印刷処理を実行する際にパンチ処理を実行する構成について説明したが、ＭＦＰ２は、スキャン機能により生成した画像データに基づき印刷処理を実行する際にパンチ処理を実行する構成を備えていてもよい。この場合、パンチ設定用ＵＩ画面ｕ１は、ＰＣ１ではなくＭＦＰ２側の操作画面上に表示されることが好ましい。
【００８３】
本発明による画像形成装置は、上記各手順を実行するための専用のハードウエア回路によっても、また、上記各手順を記述したプログラムをＣＰＵが実行することによっても実現可能である。後者により本発明を実現する場合、画像形成装置を動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、画像形成装置の一機能としてその装置のソフトウェアに組み込んでもよい。
【図面の簡単な説明】
【００８４】
【図１】本発明の一実施形態に係る画像形成システムの構成を示すブロック図である。
【図２】本発明の一実施形態に係るＰＣの構成を示すブロック図である。
【図３】本発明の一実施形態に係るＭＦＰを示す概略図である。
【図４】本発明の一実施形態に係るＭＦＰの構成を示すブロック図である。
【図５】本発明の一実施形態に係るパンチユニットの主要部を示す側面図である。
【図６】本発明の一実施形態に係るパンチユニットにおけるパンチ棒を拡大して示す側面図である。
【図７】本発明の一実施形態に係るＰＣの処理の手順を示すフローチャートである。
【図８】本発明の一実施形態に係るＰＣの処理の手順を示すフローチャートである。
【図９】本発明の一実施形態に係るパンチユニット情報の一例を示す図である。
【図１０】本発明の一実施形態において表示されるプレビュー画像について説明するための図である。
【図１１】本発明の一実施形態において表示されるプレビュー画像の一例を示す図である。
【図１２】本発明の一実施形態に係るパンチ設定情報の一例を示す図である。
【図１３】本発明の一実施形態において形成されるパンチ穴の一例を示す図である。
【図１４】本発明の一実施形態において表示されるプレビュー画像の一例を示す図である。
【図１５】本発明の一実施形態において表示されるプレビュー画像の一例を示す図である。
【図１６】本発明の一実施形態において表示されるプレビュー画像の一例を示す図である。
【図１７（Ａ）】本発明の一実施形態において表示される警告メッセージの一例を示す図である。
【図１７（Ｂ）】本発明の一実施形態において表示される警告メッセージの一例を示す図である。
【図１７（Ｃ）】本発明の一実施形態において表示される警告メッセージの一例を示す図である。
【図１８】本発明の一実施形態に係るＭＦＰの処理の手順を示すフローチャートである。
【図１９】本発明の一実施形態に係る印刷ジョブ情報の一例を示す図である。
【符号の説明】
【００８５】
１          ＰＣ、
１１        制御部、
１２        記憶部、
１３        表示部、
１４        操作部、
１５        通信インタフェース、
１６        バス、
２          ＭＦＰ、
２１        制御部、
２２        記憶部、
２３        操作部、
２４        画像読取部、
２５        印刷部、
２６        後処理部、
２６１      パンチユニット、
２６１ａ    カムシャフト、
２６１ｂ    偏心カム、
２６１ｃ    パンチ棒、
２６１ｄ    パンチガイド、
２６１ｅ    ストッパ、
Ａ１        プレビュー表示エリア、
Ａ２        アイコン表示エリア、
Ａ３        メッセージ表示エリア、
Ｇｈ        パンチ画像、
Ｇｉ        印刷画像、
Ｇｓ        用紙画像、
ｉ          アイコン、
Ｉ１        パンチユニット情報、
Ｉ２        パンチ設定情報、
Ｊ          印刷ジョブ情報、
Ｊ１        ジョブ情報、
Ｊ２        ページ情報、
Ｓ          記録用紙、
ｕ１        パンチ設定用ＵＩ画面。
【図１】
2010006521.tif 000003
【図２】
2010006521.tif 000004
【図３】
2010006521.tif 000005
【図４】
2010006521.tif 000006
【図５】
2010006521.tif 000007
【図６】
2010006521.tif 000008
【図７】
2010006521.tif 000009
【図８】
2010006521.tif 000010
【図９】
2010006521.tif 000011
【図１０】
2010006521.tif 000012
【図１１】
2010006521.tif 000013
【図１２】
2010006521.tif 000014
【図１３】
2010006521.tif 000015
【図１４】
2010006521.tif 000016
【図１５】
2010006521.tif 000017
【図１６】
2010006521.tif 000018
【図１７（Ａ）】
2010006521.tif 000019
【図１７（Ｂ）】
2010006521.tif 000020
【図１７（Ｃ）】
2010006521.tif 000021
【図１８】
2010006521.tif 000022
【図１９】
2010006521.tif 000023